(57)【要約】【課題】樹木の根上がりの抑制に有効な植栽用装置を提供する。【解決手段】植栽用装置１は、樹木Ｗの根ＷＲを囲むように並んで配置される複数のパネルユニット２を備え、複数のパネルユニット２のそれぞれは、板状のパネル部材１０と、パネル部材１０の片面に設けられ、根ＷＲに対する忌避性を示す忌避部２０とを含む。【選択図】図１
2018082671.tif 000002
【特許請求の範囲】
【請求項１】
樹木の根を囲むように並んで配置される複数のパネルユニットを備え、
前記複数のパネルユニットのそれぞれは、板状のパネル部材と、
前記パネル部材の片面に設けられ、前記根に対する忌避性を示す忌避部とを含む植栽用装置。
【請求項２】
前記複数のパネルユニットは、曲板状の前記パネル部材を有するパネルユニットと、
平板状の前記パネル部材を有するパネルユニットとを含む、請求項１に記載の植栽用装置。
【請求項３】
前記パネル部材は、両面を貫く貫通孔を含み、
前記忌避部は、前記貫通孔に面する透水性の部分を含む、請求項１または２に記載の植栽用装置。
【請求項４】
前記複数のパネルユニットは、隣り合って配置される第１のパネルユニットおよび第２のパネルユニットを含み、
前記第１のパネルユニットの前記パネル部材は、前記第２のパネルユニットの前記パネル部材に面する凹部を含み、
前記第２のパネルユニットの前記パネル部材は、前記凹部と連結可能な凸部を含む、請求項１〜３のいずれか一項に記載の植栽用装置。
【請求項５】
前記複数のパネルユニットのそれぞれは、前記パネル部材に接続される蓋部材をさらに含む、請求項１〜４のいずれか一項に記載の植栽用装置。
【請求項６】
前記パネルユニットは、前記パネル部材に対する前記蓋部材の傾きを調節する調節部をさらに含む、請求項５に記載の植栽用装置。
【請求項７】
前記蓋部材は、本体部と、
前記本体部よりも前記樹木側に位置し、前記本体部と着脱可能な着脱可能部とを含む、請求項５または６に記載の植栽用装置。
【請求項８】
前記蓋部材は、前記着脱可能部を前記本体部に対して可動にする可動部をさらに含む、請求項７に記載の植栽用装置。
【請求項９】
前記着脱可能部は、前記本体部よりも柔軟性の高い部分を含む、請求項７または８に記載の植栽用装置。
【請求項１０】
前記パネル部材の材質は、レジンコンクリートを含む、請求項１〜９のいずれか一項に記載の植栽用装置。
【請求項１１】
樹木の根を囲むための板状のパネル部材と、
前記パネル部材の片面に設けられ、前記根に対する忌避性を示す忌避部とを含む植栽用パネルユニット。
【請求項１２】
植栽用装置を用いた植栽方法であって、
前記植栽用装置は、複数のパネルユニットを備え、前記複数のパネルユニットのそれぞれは、板状のパネル部材と、前記パネル部材の片面に設けられ、樹木の根に対する忌避性を示す忌避部とを含み、
当該植栽方法は、前記根を囲むように前記複数のパネルユニットを並べて配置することを含む、植栽方法。
【発明の詳細な説明】
【技術分野】
【０００１】
本発明は、植栽用装置、植栽用パネルユニット、および植栽方法に関する。
【背景技術】
【０００２】
特許文献１には、管状体を公道や公道周辺または公共施設の敷地内などの地中に埋設し、その管状体内に土を投入して樹木を植え込む樹木の設置方法が開示されている。
【先行技術文献】
【特許文献】
【０００３】
【特許文献１】特開２０１０−１８３８４５号公報
【発明の概要】
【発明が解決しようとする課題】
【０００４】
本発明は、樹木の根上がりの抑制に有効な植栽用装置、植栽用パネルユニット、および植栽方法を提供することを目的とする。
【課題を解決するための手段】
【０００５】
本発明の一態様は、樹木の根を囲むように並んで配置される複数のパネルユニットを備え、複数のパネルユニットのそれぞれは、板状のパネル部材と、パネル部材の片面に設けられ、根に対する忌避性を示す忌避部とを含む植栽用装置である。
【０００６】
この植栽用装置によれば、樹木の根を囲むように複数のパネルユニットを並べて配置することで、根を忌避部により容易に包囲できる。忌避部は、パネル部材の片面に設けられている。このため、パネル部材を地中に配置することで、地中における忌避部の位置ずれがパネル部材によって抑制される。また、複数のパネルユニットの組み合わせを変更することで、忌避部により包囲される領域のサイズを自在に調節できる。このため、根に対する忌避部の配置が根上がりの抑制に適した状態となるように、忌避部の配置を容易に調節できる。したがって、樹木の根上がりの抑制に有効である。
【０００７】
複数のパネルユニットは、曲板状のパネル部材を有するパネルユニット（以下、「曲板状パネルユニット」という。）と、平板状のパネル部材を有するパネルユニット（以下、「平板状パネルユニット」という。）とを含むことが好ましい。曲板状パネルユニット同士の間に配置する平板状パネルユニットの数を変更することで、複数のパネルユニットにより包囲される領域の形状およびサイズを自在に調節できる。したがって、パネルユニットの種類を少なく抑えつつ、忌避部の配置を容易に調節できる。
【０００８】
パネル部材は、両面を貫く貫通孔を含み、忌避部は、貫通孔に面する透水性の部分を含むことが好ましい。パネル部材の貫通孔および忌避部の透水性の部分により、パネルユニットを通して根に水分を供給する経路が形成される。したがって、パネルユニットが樹木の生長に及ぼす影響を低減することができる。
【０００９】
複数のパネルユニットは、隣り合って配置される第１のパネルユニットおよび第２のパネルユニットを含み、第１のパネルユニットのパネル部材は、第２のパネルユニットのパネル部材に面する凹部を含み、第２のパネルユニットのパネル部材は、凹部と連結可能な凸部を含むことが好ましい。凹部と凸部との連結により、パネルユニット同士の隙間を介して根がはみ出そうとした場合であっても、伸長する根が凸部に当たることで、当該隙間を介しての根の伸長を抑制できる。したがって、根を忌避部に囲まれる領域内に留めやすい。また、凹部と凸部との連結により、隣り合うパネルユニット同士を所望の状態に配置しやすい。したがって、根上がりの抑制にさらに適した状態となるように、根に対する忌避部の配置を調節できる。
【００１０】
複数のパネルユニットのそれぞれは、パネル部材に接続される蓋部材をさらに含むことが好ましい。蓋部材により、樹木の幹とパネル部材との間における地表面のぬかるみが抑制される。蓋部材は、パネルユニットごとに設けられているので、複数のパネルユニットが包囲する領域の形状およびサイズが変わるのに応じて、蓋部材により覆われる領域の形状およびサイズも適切に調節される。したがって、樹木の周囲における通行の利便性を容易に高めることができる。
【００１１】
パネルユニットは、パネル部材に対する蓋部材の傾きを調節する調節部をさらに含むことが好ましい。植栽による地表面の隆起を含めた地表面の勾配に応じて、蓋部材の傾きを柔軟に調節できる。
【００１２】
蓋部材は、本体部と、本体部よりも樹木側に位置し、本体部と着脱可能な着脱可能部とを含むことが好ましい。着脱可能部を本体部に対して着脱することで、蓋部材により包囲される領域のサイズを容易に調節できる。たとえば、樹木が生長しその幹が太くなるのに応じて着脱可能部を取り外し、蓋部材により囲まれる領域を大きくすることができる。
【００１３】
蓋部材は、着脱可能部を本体部に対して可動にする可動部をさらに含むことが好ましい。樹木の生長に応じて地表面が経時的に隆起した場合であっても、着脱可能部を柔軟に適応させることができる。
【００１４】
着脱可能部は、本体部よりも柔軟性の高い部分を含むことが好ましい。蓋部材による樹木への圧迫を緩和することができる。
【００１５】
パネル部材の材質は、レジンコンクリートを含むことが好ましい。パネル部材をセメントコンクリートにより構成する場合に比較して、地中へのアルカリ成分の溶出が抑制されるので、土壌への影響をより一層低減することができる。
【００１６】
本発明の他の態様は、樹木の根を囲むための板状のパネル部材と、パネル部材の片面に設けられ、根に対する忌避性を示す忌避部とを含む植栽用パネルユニットである。
【００１７】
本発明のさらに他の態様は、植栽用装置を用いた植栽方法である。植栽用装置は、複数のパネルユニットを備え、複数のパネルユニットのそれぞれは、板状のパネル部材と、パネル部材の片面に設けられ、樹木の根に対する忌避性を示す忌避部とを含む。当該植栽方法は、根を囲むように複数のパネルユニットを並べて配置することを含む。
【発明の効果】
【００１８】
本発明によれば、樹木の根上がりの抑制に有効な植栽用装置、植栽用パネルユニット、および植栽方法を提供することができる。
【図面の簡単な説明】
【００１９】
【図１】第１の実施形態に係る植栽用装置の平面図である。
【図２】植栽用装置を分解して示す斜視図である。
【図３】パネルユニットの他の組み合わせ例を示す平面図である。
【図４】図１中のＩＶ−ＩＶ線に沿う断面図である。
【図５】植栽用装置を用いた植栽方法を示す模式図である。
【図６】第２の実施形態に係る植栽用装置の断面図である。
【図７】第２の実施形態に係る植栽用装置の平面図である。
【図８】第３の実施形態に係る植栽用装置の断面図である。
【図９】パネル部材の凹部および凸部の変形例を示す平面図である。
【発明を実施するための形態】
【００２０】
図１は、第１の実施形態に係る植栽用装置１の平面図であり、図２は、植栽用装置１を分解して示す斜視図である。植栽用装置１は、樹木Ｗの根ＷＲが生長して地表面ＥＳを隆起させる現象（以下、「根上がり」という。）を抑制するための装置である。
【００２１】
植栽用装置１は、樹木Ｗの根ＷＲを囲むように並んで配置される複数のパネルユニット（植栽用パネルユニット）２を備える。複数のパネルユニット２は、根ＷＲと共に地中に埋設される。複数のパネルユニット２および根ＷＲが埋設された部分の表面（地表面）ＥＳは、必ずしも水平面でなくてよく、斜面であってもよいし、水平面に対して垂直な面であってもよい。以下では、便宜上、地表面ＥＳが水平面であるものとして説明する。なお、地中において根ＷＲを取り囲む複数のパネルユニット２を一セットとした場合に、植栽用装置１は、深さ方向（地表面ＥＳに直交する方向）１００に並ぶ複数段の上記セットを備えていてもよい。
【００２２】
本明細書において、「根ＷＲを囲む」とは、根ＷＲが所定の範囲外に出られないように囲むことを意味する。この要件を満たす限りにおいて、複数のパネルユニット２は、地中において互いに間隔を隔てて並んでいてもよいし、互いに接続されて一体の管状体を構成していてもよい。本例の複数のパネルユニット２は、互いに接続されて一体の管状体９０を構成している。
【００２３】
複数のパネルユニット２のそれぞれは、板状のパネル部材１０と、パネル部材１０の片面１１に設けられ、根ＷＲに対する忌避性を示す忌避部２０とを含む。パネル部材１０は、樹木Ｗの根ＷＲを囲むための板状体であり、根ＷＲ側を向いた面（パネル内側面）１１と、根ＷＲの逆側を向いた面（パネル外側面）１２と、パネル内側面１１およびパネル外側面１２を繋ぐ外周面（パネル外周面）１３とを含む。パネル外周面１３は、地表面ＥＳ側の面（地表側端面）１６と、地表側端面１６に連なり、隣り合うパネル部材１０に面する面（接続面）１４，１５とを含む。
【００２４】
パネル部材１０はレジンコンクリート製である。このため、パネル部材１０をセメントコンクリートにより構成する場合に比較して、地中へのアルカリ成分の溶出が抑制されるので、土壌への影響をより確実に低減することができる。なお、パネル部材１０の材質は、レジンコンクリートに限定されず、セメントコンクリート、ポリプロピレン、ポリエチレン、鉄、アルミニウムなどであってもよく、これらの組み合わせであってもよい。
【００２５】
忌避部２０は、パネル部材１０の片面（パネル内側面１１）に設けられ、樹木Ｗの根ＷＲに対する忌避性を有する。根ＷＲに対する忌避性とは、根ＷＲを遠ざける性質を意味する。本例の忌避部２０は、パネル内側面１１の全域を覆うように層状に設けられている。忌避部２０の厚さは、パネル部材１０の厚さに比較して薄い。
【００２６】
忌避部２０は、根ＷＲに対する忌避性を示す忌避剤を含有する。忌避剤の具体例としては、クロロトリルオキシプロピオン酸ポリグリコールエステルが挙げられる。忌避剤を含有する忌避部２０は、たとえば、忌避剤を含有するスラリー状の材質をパネル内側面１１上に塗布し、硬化させることにより形成可能である。また、忌避部２０は、忌避剤を含浸させたシート状の素材をパネル内側面１１上に貼り付けることによっても形成可能である。
【００２７】
この植栽用装置１によれば、根ＷＲを囲むように複数のパネルユニット２を並べて配置することで、根ＷＲを忌避部２０により容易に包囲できる。忌避部２０は、パネル部材１０のパネル内側面１１に設けられている。このため、パネル部材１０を地中に配置することで、地中における忌避部２０の位置ずれや変形がパネル部材１０によって抑制される。また、複数のパネルユニット２の組み合わせを変更することで、忌避部２０により包囲される領域のサイズを自在に調節できる。このため、根ＷＲに対する忌避部２０の配置が根上がりの抑制に適した状態となるように、忌避部２０の配置を容易に調節できる。したがって、樹木Ｗの根上がりの抑制に有効である。なお、根上がりの抑制に適した状態とは、たとえば、忌避部２０が、根ＷＲの成長や生長を妨げない程度の間隔を保ちつつ、根ＷＲに対する忌避性が有効に作用する程度に根ＷＲに近接して配置される状態である。
【００２８】
さらに、この植栽用装置１によれば、複数のパネルユニット２が、互いに接続されて一体の管状体９０を構成している。このため、パネルユニット２同士の間を根ＷＲが通り難くなるので、忌避部２０に囲まれる領域内に根ＷＲが留まりやすい。したがって、樹木Ｗの根上がりの抑制にさらに有効な植栽用装置１を提供できる。
【００２９】
さらに、この植栽用装置１によれば、忌避部２０が、パネル内側面１１の全域を覆うように層状に設けられている。このため、忌避部２０が広い範囲で根ＷＲに面する。したがって、樹木Ｗの根上がりをより確実に抑制できる。
【００３０】
さらに、この植栽用装置１によれば、忌避部２０がパネル部材１０のパネル内側面１１に設けられており、忌避部２０はパネル部材１０により支持される。このため、パネル部材１０により、地中における忌避部２０の配置の安定性が保たれる。したがって、忌避部２０の厚さを、パネル部材１０の厚さに比較して薄くしやすく、根上がりに対する有効性を確保しながら、忌避部２０用の材料を節約できる。
【００３１】
各パネルユニット２のパネル部材１０は、一方の接続面１４に設けられた凹部１８と、他方の接続面１５に設けられた凸部１９とを含む。凹部１８および凸部１９は、パネル部材１０の深さ方向１００に沿い、接続面１４および１５のそれぞれの全長に亘って延びている。パネル部材１０の凸部１９は、隣り合う他のパネル部材１０の凹部１８に連結可能であり、パネル部材１０の凹部１８は、隣り合う他のパネル部材１０の凸部１９に連結可能である。
【００３２】
この植栽用装置１によれば、複数のパネルユニット２が根ＷＲを囲むように並んだ状態で、隣り合う２つのパネルユニット２の間では、一方のパネルユニット（第１のパネルユニット）２の接続面１４と他方のパネルユニット（第２のパネルユニット）２の接続面１５とが対向し、第２のパネルユニット２の凸部１９が第１のパネルユニット２の凹部１８に嵌まり込む。このため、隣り合うパネル部材１０の継ぎ目の微小な隙間を介して根ＷＲが外側にはみ出そうとした場合であっても、伸長する根ＷＲの先端を凸部１９に当てることができる。したがって、当該隙間を介しての根ＷＲの伸長を防止することで、根ＷＲを忌避部２０に囲まれる領域内に留めることができる。このため、樹木Ｗの根上がりを一層抑制できる。また、凹部１８と凸部１９との嵌合により、隣り合うパネルユニット２同士を所望の状態に配置しやすい。したがって、根上がりの抑制にさらに適した状態となるように、根ＷＲに対する忌避部２０の配置をより正確に調節できる。
【００３３】
さらに、この植栽用装置１によれば、凹部１８および凸部１９が、深さ方向１００に沿ってパネル部材１０の全長に亘って延びている。このため、パネルユニット２同士の隙間の全域に凸部１９を配置できる。したがって、伸長する根ＷＲの先端を凸部１９に確実に当てることで、当該隙間を介しての根ＷＲの伸長を防止し、根ＷＲを忌避部２０に囲まれる領域内に確実に留めることができる。また、凹部１８および凸部１９が、パネル部材１０の全長に亘って嵌合することにより、パネルユニット２同士の位置関係をさらに安定化できる。
【００３４】
複数のパネルユニット２は、曲がった板状のパネル部材１０を有するパネルユニット（曲板状パネルユニット）２Ａと、平板状のパネル部材１０を有するパネルユニット（平板状パネルユニット）２Ｂとを含む。
【００３５】
曲板状パネルユニット２Ａのパネル部材１０は、上方から見て（地表面ＥＳに直交する方向の上側から見て）緩やかに湾曲したパネル内側面１１を含み、平板状パネルユニット２Ｂのパネル部材１０は、上方から見て平坦なパネル内側面１１を含む。
【００３６】
本例では、４つの曲板状パネルユニット２Ａと、曲板状パネルユニット２Ａ同士の間のうちの２箇所にそれぞれ配置される２つの平板状パネルユニット２Ｂとが、根ＷＲを囲むように並んで配置されることにより、上方から見て長方形状の包囲領域（パネルユニット２により囲まれる領域）が形成される。この配置は一例に過ぎず、曲板状パネルユニット２Ａ同士の間に配置する平板状パネルユニット２Ｂの数を変更することで、包囲領域の形状およびサイズを自在に調節できる。したがって、パネルユニット２の種類を少なく抑えつつ、忌避部２０の配置を容易に調節できる。図３に示すように、平板状パネルユニット２Ｂを用いずに曲板状パネルユニット２Ａのみによって根ＷＲを囲むことも可能である。この場合、図１に比較して狭い、上方から見て正方形状の包囲領域が形成される。
【００３７】
曲板状パネルユニット２Ａのパネル部材１０は、湾曲したものに限定されない。たとえば、曲板状パネルユニット２Ａのパネル部材１０は、上方から見て角をなすように折れ曲がっていてもよい。本例のように、曲板状パネルユニット２Ａが緩やかに湾曲した構成によれば、折れ曲がった構成に比較して、パネル内側面１１に忌避部２０を設けやすい。また、根ＷＲと忌避部２０との間隔のばらつき（根ＷＲを囲む周方向における位置のばらつき）を小さくし、根上がりの抑制効果をさらに高めやすい。
【００３８】
図４は、パネルユニット２の断面図である。パネル部材１０はその両面（パネル内側面１１およびパネル外側面１２）を貫く複数の貫通孔１７を含む。複数の貫通孔１７は、所定ピッチで規則的に点在していてもよく（図２参照）、不規則に点在していてもよい。
【００３９】
忌避部２０は、貫通孔１７に面する透水性の部分（透水部分）２１を含む。透水部分２１は、透水性に加え通気性を有していてもよい。たとえば、透水部分２１は、貫通孔１７に面する小孔を有していてもよい。透水部分２１は、透水性の布状体に忌避剤を含浸させることで形成可能である。
【００４０】
透水部分２１は、複数の貫通孔１７にそれぞれ面する複数箇所に点在していてもよいし、忌避部２０の全域を占めていてもよい。すなわち、忌避部２０の全域が透水性を有していてもよい。この場合、忌避部２０の全域の均質化により、忌避部２０の形成工程を簡素化できる。
【００４１】
パネル部材１０の貫通孔１７および忌避部２０の透水部分２１により、パネルユニット２を通して根ＷＲに水分を供給する経路が形成される。したがって、パネルユニット２が樹木Ｗの生長に及ぼす影響を低減することができる。
【００４２】
図５は、植栽用装置１を用いた植栽方法を示す模式図である。まず、植栽対象の樹木Ｗの根ＷＲを取り囲むのに必要な複数のパネルユニット２を準備する。次に、図５の（ａ）に示すように、根ＷＲを埋めるための穴Ｈを掘削する。次に、図５の（ｂ）に示すように、穴Ｈ内に樹木Ｗの根ＷＲを設置する。次に、忌避部２０を内側にして根ＷＲを囲むように複数のパネルユニット２を並べて穴Ｈ内に配置する。この際に、隣り合うパネルユニット２同士を接続して一体の管状体９０を構成する。次に、図５の（ｃ）に示すように、穴Ｈを埋め戻す。以上で植栽用装置１の設置が完了する。
【００４３】
なお、複数のパネルユニット２を穴Ｈ内に並べて設置した後に、複数のパネルユニット２により取り囲まれる領域内に根ＷＲを設置してもよい。すなわち、根ＷＲを囲むように複数のパネルユニット２を並べて配置することは、複数のパネルユニット２を設置した後に、複数のパネルユニット２により取り囲まれる領域内に根ＷＲを設置することを含む。
【００４４】
図６は、第２の実施形態に係る植栽用装置３の断面図である。図７は、植栽用装置３の平面図である。植栽用装置３のパネルユニット４は、パネル部材１０と、パネル部材１０の片面１１に設けられる忌避部２０と、パネル部材１０に接続される蓋部材３０と、パネル部材１０に対する蓋部材３０の傾きを調節する調節部（傾き調節部）４０とを含む。なお、以降の実施形態において、第１の実施形態と共通の構成については共通の符号を付して説明を省略する。
【００４５】
蓋部材３０は、パネル部材１０の地表側端面１６に傾き調節部４０を介して接続された本体部３１と、本体部３１よりも幹ＷＳ側に位置し、本体部３１の幹ＷＳ側の端部３１ａに着脱可能に接続された着脱可能部３２とを含む。着脱可能部３２は、本体部３１よりも柔軟性の高い部分を含む。たとえば、着脱可能部３２は、本体部３１に比較して柔軟な材料により構成されている。具体的には、本体部３１が鋳鉄などの金属材料により構成され、着脱可能部３２が樹脂材料により構成されている。
【００４６】
蓋部材３０の傾き調節部４０は、パネル部材１０に対する蓋部材３０の傾きを調節する機能を有する限りどのように構成されていてもよい。一例として、傾き調節部４０は、蓋部材３０のパネル部材１０側の端部３０ｅに設けられた半球状の凸面部４１と、パネル部材１０の地表側端面１６に設けられた、半球状の凸面部４１を支持する半球状の凹面部４２と、凹面部４２に対して凸面部４１を接触させた状態でパネル部材１０に対して蓋部材３０を固定する締結部材（ボルト）４３とを含む。
【００４７】
この植栽用装置３によれば、パネルユニット４が蓋部材３０を含むため、樹木Ｗの幹ＷＳとパネル部材１０との間における地表面ＥＳのぬかるみが抑制される。蓋部材３０は、パネルユニット４ごとに設けられているので、複数のパネルユニット４が包囲する領域の形状およびサイズが変わるのに応じて、蓋部材３０により覆われる領域の形状およびサイズも適切に調節される。したがって、樹木Ｗの周囲における通行の利便性を容易に高めることができる。また、パネル部材１０および忌避部２０によって樹木Ｗの根上がりが抑制されているので、隣り合う蓋部材３０同士の高低差の経時的な増大が抑制される。したがって、樹木Ｗの周囲における通行の利便性を長期的に維持しやすい。
【００４８】
さらに、この植栽用装置３によれば、パネルユニット４が蓋部材３０の傾きを調節する傾き調節部４０を含むため、傾き調節部４０の凹面部４２に対して凸面部４１を回転させることにより、パネル部材１０に対する蓋部材３０の傾きを調節できる。したがって、植栽による地表面ＥＳの隆起を含めた地表面ＥＳの勾配に応じて、蓋部材３０の傾きを柔軟に調節できる。
【００４９】
さらに、この植栽用装置３によれば、蓋部材３０が、本体部３１と、本体部３１よりも樹木Ｗ側に位置し、本体部３１と着脱可能な着脱可能部３２とを含むため、着脱可能部３２を本体部３１に対して着脱することで、蓋部材３０により包囲される領域のサイズを容易に調節できる。たとえば、樹木Ｗが生長しその幹ＷＳが太くなるのに応じて着脱可能部３２を取り外し、蓋部材３０により囲まれる領域を大きくすることができる。
【００５０】
さらに、この植栽用装置３によれば、蓋部材３０の着脱可能部３２が、本体部３１よりも柔軟性の高い部分を含むため、着脱可能部３２の柔軟性により、蓋部材３０による樹木Ｗへの圧迫を緩和することができる。
【００５１】
図８は、第３の実施形態に係る植栽用装置５の断面図である。植栽用装置５のパネルユニット６は、パネル部材１０と、パネル部材１０の片面１１に設けられる忌避部２０と、パネル部材１０に接続される蓋部材３０とを含む。
【００５２】
蓋部材３０は、パネル部材１０の地表側端面１６に固定された本体部３１と、本体部３１の幹ＷＳ側の端部３１ａに着脱可能に接続された着脱可能部３２と、着脱可能部３２を本体部３１に対して可動にする可動部５０とを含む。着脱可能部３２は、本体部３１の幹ＷＳ側の端部３１ａに可動部５０を介して着脱自在に接続される。
【００５３】
可動部５０は、着脱可能部３２を本体部３１に対して可動にする限り、どのように構成されていてもよい。たとえば、可動部５０は、地表面ＥＳの隆起に応じて、本体部３１に対する着脱可能部３２の傾きを調節可能なヒンジ５１を含む。
【００５４】
この植栽用装置５によれば、蓋部材３０が可動部５０を含むため、地表面ＥＳの隆起に応じて本体部３１に対する着脱可能部３２の傾きを調節できる。したがって、樹木Ｗの生長などに応じて地表面ＥＳが経時的に隆起した場合であっても、蓋部材３０を柔軟に適応させることができる。
【００５５】
以上、実施形態について説明したが、本発明は必ずしも上述した実施形態に限定されるものではなく、その要旨を逸脱しない範囲で様々な変更が可能である。たとえば、各パネルユニット２が必ずしも凹部１８および凸部１９の両方を有している必要はない。たとえば、図９に示すように、接続面１４，１５の両方に凹部１８を有するパネルユニット（第１のパネルユニット）２Ａと、接続面１４，１５の両方に凸部１９を有するパネルユニット（第２のパネルユニット）２Ｂとが交互に並んでいてもよい。
【符号の説明】
【００５６】
１，３，５…植栽用装置
２，４，６…パネルユニット（植栽用パネルユニット）
２Ａ…曲板状パネルユニット、２Ｂ…平板状パネルユニット
１０…パネル部材、１１…パネル部材の片面（パネル内側面）、１２…パネル外側面、１３…外周面（パネル外周面）、１４，１５…接続面、１６…地表側端面、１７…貫通孔、１８…凹部、１９…凸部
２０…忌避部、２１…透水性の部分（透水部分）
３０…蓋部材、３１…本体部、３２…着脱可能部
４０…調節部（傾き調節部）、４１…凸面部、４２…凹面部、４３…締結部材（ボルト）
５０…可動部、５１…ヒンジ
９０…管状体、１００…深さ方向（地表面に直交する方向）
Ｗ…樹木、ＷＲ…根、ＷＳ…幹
【図１】
2018082671.tif 000003
【図２】
2018082671.tif 000004
【図３】
2018082671.tif 000005
【図４】
2018082671.tif 000006
【図５】
2018082671.tif 000007
【図６】
2018082671.tif 000008
【図７】
2018082671.tif 000009
【図８】
2018082671.tif 000010
【図９】
2018082671.tif 000011